(57)【要約】【課題】すすぎ性能を向上させ、節水を行うことができる洗濯機を提供すること。【解決手段】制御手段２６は、すすぎ工程において、給水弁２３を駆動させて給水を行ないながら、洗濯兼脱水槽１４の一方向回転と攪拌翼１５の正逆回転を逐次行なうように制御することにより、洗濯液が浸透した衣類に均等に水道水を満遍なく注水し、同時に排水コックは動作させず、使用した水道水が機外に流れ出ないようにし、攪拌翼１５で洗濯液が浸透した衣類を攪拌してさらに内部に残った洗濯液をかき出し、少ない水道水で効率よくすすぎを行い、すすぎ性能の向上およびすすぎ時の水道水などの節水を同時に解決することが出来る。【選択図】図１
2013094217.tif 000002
【特許請求の範囲】
【請求項１】
中央底部に攪拌翼を回転自在に配した洗濯兼脱水槽と、外枠内部に防振支持され、前記洗濯兼脱水槽を回転自在に内包する水受け槽と、前記水受け槽外底部に固着され、Ｖベルト、減速機構兼クラッチを介して、前記洗濯兼脱水槽および前記攪拌翼を回転駆動するモータと、前記水受け槽内へ給水する給水弁と、前記水受け槽の底部に設けられた排水用の排水コックと、前記減速機構兼クラッチの切換え、および、前記排水コックの開閉を行なう排水装置と、前記モータ、給水弁、排水装置等を制御して、洗い、すすぎ、脱水の一連の工程を逐次制御する制御手段とを備え、前記制御手段は、すすぎ工程において、前記給水弁を駆動させて給水を行ないながら、前記洗濯兼脱水槽の一方向回転と前記攪拌翼の正逆回転を逐次行なうようにした洗濯機。
【請求項２】
制御手段は、排水装置を、減速機構兼クラッチおよび排水コックと、同時に、または、それぞれ個別に連動させるようにした請求項１に記載の洗濯機。
【発明の詳細な説明】
【技術分野】
【０００１】
本発明は、洗い、すすぎ、脱水工程を自動制御して行なう洗濯機に関するものである。
【背景技術】
【０００２】
従来、この種の洗濯機は、すすぎ工程において、洗い工程の動作と同様に、槽内に水を溜めて回転翼を撹拌させてすすぎを行なう方式が提案されてきた（例えば、特許文献１参照）。
【０００３】
また、すすぎ工程において、洗濯兼脱水槽を低速で回転させながら、洗濯物に給水する、所謂、給水すすぎ方式も提案されてきた（例えば、特許文献２参照）。
【０００４】
図４は、特許文献１に記載された従来の洗濯機のすすぎ時の模式図を示すものである。
【０００５】
図４において、洗濯兼脱水槽１は、内底面に回転翼２を回転自在に配設し、水受け槽３は、洗濯兼脱水槽１を回転自在に内包し、モータ４は、Ｖベルト５および減速機構兼クラッチ６を介して、洗濯兼脱水槽１または回転翼２を回転駆動する。
【０００６】
水受け槽３の底部に配した排水装置７は、排水コック８と連動して洗濯兼脱水槽１内の洗濯水を排水し、外枠（図示せず）上方の給水弁１０は洗濯兼脱水槽１内に給水するものである。また、水受け槽３は外枠にサスペンション（図示せず）によって垂下防振支持されている。そして、制御手段（図示せず）によって、モータ４、排水装置７、給水弁１０などを制御して、洗い、すすぎ、脱水の一連の工程を逐次制御する構成となっている。
【０００７】
上記構成において、洗い工程で衣類を洗う場合、洗濯兼脱水槽１に衣類と所定量の洗剤を投入した後、運転を開始すると、制御手段は給水弁１０を制御して洗濯兼脱水槽１内に所定量の水を給水し、その後、モータ４を制御して回転翼２を駆動する。また、排水装置７は減速機構兼クラッチ６および排水コック８と連動しており制御手段で制御されている。
【０００８】
すすぎ工程では、洗い工程と同様に、洗濯兼脱水槽１内に所定量の水を溜めて、その後、モータ４を制御して回転翼２を駆動して衣類のすすぎを行なう。そして、所定時間経過してすすぎが終了すると、排水装置７により排水コック８を開放して排水を行なう。
【０００９】
図５は、特許文献２に記載された従来の洗濯機の給水すすぎ時の模式図を示すものである。なお、特許文献１の図４と同じ構成のものは同一符号を付して一部説明を省略する。
【００１０】
図５において、すすぎ工程では、制御手段（図示せず）により、給水弁１０と排水装置７および、モータ４のＯＮ−ＯＦＦ制御を同時に制御し、洗濯兼脱水槽１を低速で回転駆動しながら、上部の給水弁１０から水道水を、洗濯液を含んだ衣類に満遍なく浸透させ、その後、制御手段はモータ４をＯＮ−ＯＦＦ制御し、洗濯兼脱水槽１を高速で回転駆動し、遠心力で衣類内部に浸透している洗濯液を搾り出すすすぎ方式になっている。この場合、排水装置７は、減速機構兼クラッチ６と排水コック８を同時に動作させる構成であり、洗濯兼脱水槽１の回転駆動時は常に排水コック８が開放された状態になっている。
【先行技術文献】
【特許文献】
【００１１】
【特許文献１】特開平３−１２８０９４号公報
【特許文献２】特開平８−３２３０８９号公報
【発明の概要】
【発明が解決しようとする課題】
【００１２】
しかしながら、前記従来の構成では、特許文献１のようなすすぎ方式では、すすぎ性能は満足できるが、水を多量に消費するために節水効果はあまり望めない構成になっていた。また、特許文献２のようなすすぎ方式では、節水効果は高まるが、十分なすすぎ性能が確保できず、洗濯後の衣類に残った臭いなど、使用者に不満を抱かせる要因になっていた。
【００１３】
本発明は、前記従来の課題を解決するもので、すすぎ工程のすすぎを効率的に行い、すすぎ性能を向上させ、洗濯後の衣類の残留臭いの解消を行い、使用者の不満を解消するとともに、すすぎ時の水道水などの節水という市場のニーズに合った洗濯機を提供することを目的とする。
【課題を解決するための手段】
【００１４】
本発明は、前記従来の課題を解決するために、本発明の洗濯機は、中央底部に攪拌翼を回転自在に配した洗濯兼脱水槽と、外枠内部に防振支持され、前記洗濯兼脱水槽を回転自在に内包する水受け槽と、前記水受け槽外底部に固着され、Ｖベルト、減速機構兼クラッチを介して、前記洗濯兼脱水槽および前記攪拌翼を回転駆動するモータと、前記水受け槽内へ給水する給水弁と、前記水受け槽の底部に設けられた排水用の排水コックと、前記減速機構兼クラッチの切換え、および、前記排水コックの開閉を行なう排水装置と、前記モータ、給水弁、排水装置等を制御して、洗い、すすぎ、脱水の一連の工程を逐次制御する制御手段とを備え、前記制御手段は、すすぎ工程において、前記給水弁を駆動させて給水を行ないながら、前記洗濯兼脱水槽の一方向回転と前記攪拌翼の正逆回転を逐次行なうようにしたものである。
【００１５】
これによって、すすぎ工程のすすぎを効率的に行い、すすぎ性能を向上させ、洗濯後の衣類の残留臭いの解消を行い、使用者の不満を解消するとともに、すすぎ時の水道水などの節水を行なうことができる。
【発明の効果】
【００１６】
本発明の洗濯機は、すすぎ工程のすすぎ方式を効率的に行い、すすぎ性能を向上させ、洗濯後の衣類の残留臭いの解消とともに、すすぎ時の水道水などの節水を行うことができる。
【図面の簡単な説明】
【００１７】
【図１】本発明の実施の形態おける洗濯機の縦断面図
【図２】同洗濯機の洗い〜脱水のシーケンスを示す図
【図３】（ａ）、（ｂ）同洗濯機のすすぎ工程におけるすすぎ方式を表した模式図
【図４】従来の洗濯機のすすぎ工程におけるすすぎ方式を表した模式図
【図５】他の従来の洗濯機のすすぎ工程におけるすすぎ方式を表した模式図
【発明を実施するための形態】
【００１８】
第１の発明は、中央底部に攪拌翼を回転自在に配した洗濯兼脱水槽と、外枠内部に防振支持され、前記洗濯兼脱水槽を回転自在に内包する水受け槽と、前記水受け槽外底部に固着され、Ｖベルト、減速機構兼クラッチを介して、前記洗濯兼脱水槽および前記攪拌翼を回転駆動するモータと、前記水受け槽内へ給水する給水弁と、前記水受け槽の底部に設けられた排水用の排水コックと、前記減速機構兼クラッチの切換え、および、前記排水コックの開閉を行なう排水装置と、前記モータ、給水弁、排水装置等を制御して、洗い、すす
ぎ、脱水の一連の工程を逐次制御する制御手段とを備え、前記制御手段は、すすぎ工程において、前記給水弁を駆動させて給水を行ないながら、前記洗濯兼脱水槽の一方向回転と前記攪拌翼の正逆回転を逐次行なうことにより、すすぎ工程のすすぎを効率的に行い、すすぎ性能を向上させ、洗濯後の衣類の残留臭いの解消を行い、使用者の不満を解消するとともに、すすぎ時の水道水などの節水を行なうことができる。
【００１９】
第２の発明は、特に第１の発明の制御手段は、排水装置を、減速機構兼クラッチおよび排水コックと、同時に、または、それぞれ個別に連動させるようにしたことにより、すすぎ工程において給水した水道水が機外に流れ出ないようにし、攪拌翼で洗濯液が浸透した衣類を攪拌してさらに内部に残った洗濯液をかき出し、少ない水道水で効率よくすすぎを行なうことができる。
【００２０】
以下、発明の実施の形態について、図面を参照しながら説明する。また、この実施の形態によって本発明が限定されるものではない。
【００２１】
（実施の形態１）
図１は、本発明の実施の形態における洗濯機の縦断面図を示すものである。
【００２２】
図１において、洗濯兼脱水槽１４は、内底面に攪拌翼１５を回転自在に配設し、水受け槽１６は、洗濯兼脱水槽１４を回転自在に内包し，モータ１７は、Ｖベルト１８および減速機構兼クラッチ１９を介して、洗濯兼脱水槽１４または攪拌翼１５を回転駆動する。
【００２３】
水受け槽１６の底部に配した排水装置２０は、排水コック２１と連動して洗濯兼脱水槽１４内の洗濯水を排水し、外枠２２上方の上部枠体２７の後内部に設けられた給水弁２３は、洗濯兼脱水槽１４内に給水するものである。また、排水装置２０は、上部枠体２７の前内部に設けられた制御手段２６で制御されているが、減速機構兼クラッチ１９および排水コック２１と同時に、または、それぞれ個別に連動できるようになっている。
【００２４】
また、水受け槽１６は、外枠２２にサスペンション２４によって垂下防振支持されている。環状流体バランサー２５は洗濯兼脱水槽１４の上部に設けられ、脱水時の振動を低減するものである。制御手段２６は、モータ１７、排水装置２０、給水弁２３などを制御して、洗い、すすぎ、脱水の一連の工程を逐次制御する。
【００２５】
以上のように構成された洗濯機について、以下、その動作、作用を説明する。
【００２６】
図２は、本発明の実施の形態における洗濯機の洗い〜脱水のシーケンス表、図３（ａ）および（ｂ）は、同洗濯機のすすぎ工程におけるすすぎ方式を表した模式図を示す。
【００２７】
図２、図３（ａ）および（ｂ）において、洗い工程で衣類を洗う場合、洗濯兼脱水槽１４に衣類と所定量の洗剤を投入した後、運転を開始すると、制御手段２６は給水弁２３を制御して洗濯兼脱水槽１４内に所定量の水を給水し、その後、モータ１７を制御して攪拌翼１５を回転駆動する。
【００２８】
制御手段２６は、モータ１７をＯＮ−ＯＦＦ制御させるとともに、モータ１７の回転を正逆運転させることにより、攪拌翼１５の回転を制御している。
【００２９】
洗い工程においては、モータ１７の回転がＶベルト１８を介して減速機構兼クラッチ１９に伝達されるが、制御手段２６により排水装置２０は動作させず、減速機構兼クラッチ１９を通じて攪拌翼１５を正逆回転させる。また、排水装置２０が動作しない為に排水コック２１は開放されず、洗濯液が残った状態で洗い運転される。
【００３０】
洗い工程終了後、中間脱水工程において、制御手段２６は、排水装置２０を制御して、それぞれ個別に排水コック２１の開放ならびに、減速機構兼クラッチ１９の切換えを行い、洗濯兼脱水槽１４内の水を排水した後、モータ１７を制御してＶベルト１８および減速機構兼クラッチ１９を介して、洗濯兼脱水槽１４を一方向へ回転駆動し遠心力で脱水する構成になっており、所定時間の脱水後、ブレーキが掛かり回転停止すると、すすぎ工程へと進行する。
【００３１】
すすぎ工程においては、工程が開始すると、制御手段２６により、給水弁２３と排水装置２０を動作させ、減速機構兼クラッチ１９の切換えを行なって、モータ１７のＯＮ−ＯＦＦ制御を同時に制御し、洗濯兼脱水槽１４を低速で一方向へ回転駆動しながら、上部の給水弁２３から洗剤液を含んだ衣類に水道水を満遍なく浸透させる。この動作を図３（ａ）の模式図に示す。そして、この時点では、制御手段２６は排水装置２０を制御するが、排水装置２０は減速機構兼クラッチ１９とのみ連結しており、排水コック２１とは連動しない構成になっているため、給水した水道水などは排水コック２１から機外に排出されず、洗濯兼脱水槽１４内に留まっている。つまり、すすぎ工程の第一段階においては、排水コックを閉じて、洗濯兼脱水槽１４を低速で一方向へ回転させながら、洗濯物にきれいな水道水を満遍なく浸透させることにより、洗濯物内の洗剤液が効率良く排除されることとなる。
【００３２】
そして、上記第一段階の動作が所定時間行なわれると、次の第二段階へと移行するが、制御手段２６は、給水弁２３を継続制御して水道水の給水を続け、排水装置２０を切断制御して、連動する減速機構兼クラッチ１９の切換を元に戻すことにより、洗濯兼脱水槽１４の低速回転は停止して、洗濯兼脱水槽１４内底部の攪拌翼１５を正逆回転させる回転制御を行なう。つまり、槽内に水を溜めて攪拌翼１５を正逆回転させ、洗濯物へ直接機械力を与えることにより、洗濯物内の洗剤液がさらに効率良く排除され、すすぎが進んでいく。この動作を図３（ｂ）の模式図に示す。そして、所定時間のすすぎ工程が終了すると、脱水工程へと進行する。本実施の形態では、すすぎ工程を１回としているが、衣類の量や質を検知して、その量や質に応じて複数回行なってもよい。
【００３３】
以上のように、本実施の形態においては、すすぎ工程において、給水弁を駆動させて給水を行ないながら、洗濯兼脱水槽の一方向回転と攪拌翼の正逆回転を逐次行なうことにより、すすぎ工程のすすぎを効率的に行い、すすぎ性能を向上させて、洗濯後の衣類の残留臭いの解消を行い、使用者の不満を解消するとともに、すすぎ時の水道水などの節水を行なうことができる。
【００３４】
また、排水装置を、減速機構兼クラッチおよび排水コックと、同時に、または、それぞれ個別に連動させるようにしたことにより、すすぎ工程において給水した水道水が機外に流れ出ないようにし、攪拌翼で洗濯液が浸透した衣類を攪拌してさらに内部に残った洗濯液をかき出し、少ない水道水で効率よくすすぎを行なうことができる。
【産業上の利用可能性】
【００３５】
以上のように、本発明にかかる洗濯機は、すすぎ工程の中で、給水しながら洗濯兼脱水槽の一方向回転と攪拌翼の正逆回転を逐次行なうことにより、すすぎ性能の向上およびすすぎ時の節水を同時に解決することが可能となるので、他の洗濯機などの用途にも適用できる。
【符号の説明】
【００３６】
１４  洗濯兼脱水槽
１５  攪拌翼
１６  水受け槽
１７  モータ
１８  Ｖベルト
１９  減速機構兼クラッチ
２０  排水装置
２１  排水コック
２２  外枠
２３  給水弁
２６  制御手段
【図１】
2013094217.tif 000003
【図２】
2013094217.tif 000004
【図３】
2013094217.tif 000005
【図４】
2013094217.tif 000006
【図５】
2013094217.tif 000007